(57)【要約】【課題】各種プログラムの実行による演算処理部の負荷の増大を抑制すると共に、車載端末装置の表示部に必要最低限度の画面情報の表示処理を行うようにする。【解決手段】ユーザが表示画面を注視していなければ（Ｓ７２でＮＯ）、前回の画面描画処理動作から所定の時間が経過したかどうかをチェックする（Ｓ７５）。所定の時間が経過していれば（Ｓ７５でＹＥＳ）、所定（低品質）の画面描画処理動作を実行する（Ｓ７６）。前回の画面描画処理動作から所定の時間が経過していなければ（Ｓ７５でＮＯ）、所定の画面描画処理動作を省略する（Ｓ７７）。【選択図】図５
2009037485.tif 000002
【特許請求の範囲】
【請求項１】
入力した画像情報を表示出力する表示部と、
運転者、及びその背景を撮像することによって生成した画像情報を出力する画像情報生成出力部と、
前記画像情報生成出力部から出力された画像情報に基づいて、運転者の視線が前記表示部を注視しているかどうか判断する判断部と、
生成した画像情報を前記表示部に出力する画像情報生成処理部であって、
前記判断部が、前記運転者が前記表示部を注視していると判断した場合には、所定の画像情報生成処理動作を実行し、注視していないと判断した場合には、前記所定の画像情報生成処理動作よりも負荷の小さい画像情報生成処理動作を実行するか、又は、前記画像情報生成処理動作を停止する画像情報生成処理部と、
を備える車載端末システム。
【請求項２】
請求項１記載の車載端末システムにおいて、前記判断部による判断が、前記運転者による前記表示部の注視が全くなされていない状態か、又は、微かに注視している状態かをチェックする処理を含む車載端末システム。
【請求項３】
請求項２記載の車載端末システムにおいて、前記判断部が、前記運転者が前記表示部を微かに注視している状態であると判断した場合に、
前記画像情報生成処理部が、必要最低限度の情報を含む画像情報を生成して、前記表示部に出力するようにした車載端末システム。
【請求項４】
請求項２記載の車載端末システムにおいて、前記判断部が、前記運転者が前記表示部を全く注視していない状態であると判断した場合に、
前回の画像情報生成処理の時点から所定時間が経過していれば、必要最低限度の情報を含む画像情報を生成して、前記表示部に出力し、前回の画像情報生成処理の時点から所定時間が経過していなければ、前記画像情報生成処理動作を停止するようにした車載端末システム。
【請求項５】
請求項２記載の車載端末システムにおいて、前記判断部が、前記運転者が前記表示部を全く注視していない状態であると判断した場合に、
前記画像情報生成処理中であれば、必要最低限度の情報を含む画像情報を生成して、前記表示部に出力し、前記画像情報生成処理中でなければ、前記画像情報生成処理動作を停止するようにした車載端末システム。
【請求項６】
入力した画像情報を表示出力する表示部を備え、
運転者、及びその背景を撮像することによって生成した画像情報を出力する第１のステップと、
前記第１のステップにおいて出力された画像情報に基づいて、運転者の視線が前記表示部を注視しているかどうか判断する第２のステップと、
前記第２のステップにおいて生成された画像情報を、前記表示部に出力する第３のステップであって、
前記第２のステップにおいて前記運転者が前記表示部を注視していると判断された場合には、所定の画像情報生成処理動作を実行し、注視していないと判断された場合には、前記所定の画像情報生成処理動作よりも、負荷の小さい画像情報生成処理動作を実行するか、又は、前記画像情報生成処理動作を停止する第３のステップと、
を有する車載端末システムにおける画像情報生成処理方法。
【発明の詳細な説明】
【技術分野】
【０００１】
本発明は、車載端末システムに関する。
【背景技術】
【０００２】
近年における車載端末装置の機能の高度化により、車載端末装置に搭載される演算処理部のプログラム実行環境は、該演算処理部の負荷を増大させる傾向にある。しかし、ハードウェア上の制約から、該演算処理部による各種プログラムの実行を制限することが求められる。
【０００３】
従来、車載端末装置の表示部に表示される地図情報を、自車両位置に合わせて常時更新するに際し、地図情報の更新が、ユーザによる操作部の操作に応じて、スムーズに行える応答性の良い車載端末装置を提供することを目的とした提案がなされている。
【０００４】
該提案では、検知部が、ユーザが車載端末装置を注視していないか、または、車載端末装置の操作部を操作していない状態を検知した場合にのみ、演算処理部にとって負荷になる処理動作を行わせるようにした。これにより、ユーザが車載端末装置を利用するに際しての、演算処理部の負荷を軽減することが可能になるので、車載端末装置の応答速度の低下を回避することができる。上述した検知部としては、例えば、車載カメラが挙げられる。この車載カメラは、運転者を常時撮影して、撮影した画像情報を演算処理部に出力する。演算処理部は、画像認識処理によって、ユーザ及びその周辺状況を認識し、ユーザが車載端末装置の画面を注視しているかどうかを判断することができる（例えば、特許文献１参照）。
【０００５】
【特許文献１】特開２００４−３２２８６９号公報
【発明の開示】
【発明が解決しようとする課題】
【０００６】
上述した特許文献１に開示されている提案は、車両の運転中においては、車載端末装置が、ユーザ（運転者）によって注視される割合が小さいという事実に基づく。即ち、車両運転中においては、ユーザの視線は、主として前方に注がれており、車載端末装置からのユーザに対する情報提供は、主に音声を介して行われる。そのため、車載端末装置の表示部に表示される画面情報の重要度が低下するので、画面表示処理を停止するか、あるいは、簡易表示にすることで演算処理部の負荷を軽減しようとすることを意図したものである。
【０００７】
しかし、特許文献１に開示されている技術を実施しようとすると、幾つかの問題点が生じる。
【０００８】
上記従来技術においては、ユーザが車載端末装置の表示画面を注視している間に、演算処理部に優先的に処理させるプログラムを予め規定しておく必要があるが、この作業は、車載端末装置に組み込むシステムの開発時に規定しておかなければならず、メーカー側にとって負担となる。また、車載端末装置に後からダウンロードして追加されるサードパーティ製のプログラム等に対しては、上述した演算処理部に優先的に処理するプログラムを、予め規定しておく手法を適用することは困難である。
【０００９】
また、実際には、ユーザが車載端末装置の表示画面を注視しているにも係らず、上記検知部からの画面情報に基づき、演算処理部が、ユーザが上記表示画面を注視していないと誤判断する場合には、画面表示が全く行われないという問題もある。さらに、ユーザが上記表示画面を注視していないが、例えば、ユーザの視界中の片隅に、表示画面が写っているような状況にあっては、上記表示部への画面表示処理が必要であるのに、画面表示処理が全くなされないという問題もある。
【００１０】
従って、本発明の目的は、車載端末装置において、各種プログラムの実行による演算処理部の負荷の増大を抑制することができると共に、車載端末装置の表示部に必要最低限度の画面情報の表示処理が行えるようにすることにある。
【課題を解決するための手段】
【００１１】
本発明の第１の観点に従う車載端末システムは、入力した画像情報を表示出力する表示部と、運転者及びその背景を撮像することによって生成した画像情報を出力する画像情報生成出力部と、上記画像情報生成出力部から出力された画像情報に基づいて、運転者の視線が上記表示部を注視しているかどうか判断する判断部と、生成した画像情報を上記表示部に出力する画像情報生成処理部であって、上記判断部が、上記運転者が上記表示部を注視していると判断した場合には、所定の画像情報生成処理動作を実行し、注視していないと判断した場合には、上記所定の画像情報生成処理動作よりも負荷の小さい画像情報生成処理動作を実行するか、又は、上記画像情報生成処理動作を停止する画像情報生成処理部と、を備える。
【００１２】
本発明に係る好適な実施形態では、上記判断部による判断が、上記運転者による上記表示部の注視が全くなされていない状態か、又は、微かに注視している状態かをチェックする処理を含む。
【００１３】
本発明に係る別の実施形態では、上記判断部が、上記運転者が上記表示部を微かに注視している状態であると判断した場合に、上記画像情報生成処理部が、必要最低限度の情報を含む画像情報を生成して、上記表示部に出力する。
【００１４】
本発明に係る別の実施形態では、上記判断部が、上記運転者が上記表示部を全く注視していない状態であると判断した場合に、前回の画像情報生成処理の時点から所定時間が経過していれば、必要最低限度の情報を含む画像情報を生成して、上記表示部に出力し、前回の画像情報生成処理の時点から所定時間が経過していなければ、上記画像情報生成処理動作を停止する。
【００１５】
本発明に係る別の実施形態では、上記判断部が、上記運転者が上記表示部を全く注視していない状態であると判断した場合に、上記画像情報生成処理中であれば、必要最低限度の情報を含む画像情報を生成して、上記表示部に出力し、上記画像情報生成処理中でなければ、上記画像情報生成処理動作を停止する。
【００１６】
本発明の第２の観点に従う車載端末システムにおける画像情報生成処理方法は、入力した画像情報を表示出力する表示部を備え、運転者、及びその背景を撮像することによって生成した画像情報を出力する第１のステップと、上記第１のステップにおいて出力された画像情報に基づいて、運転者の視線が上記表示部を注視しているかどうか判断する第２のステップと、上記第２のステップにおいて生成された画像情報を上記表示部に出力する第３のステップであって、上記第２のステップにおいて上記運転者が上記表示部を注視していると判断された場合には、所定の画像情報生成処理動作を実行し、注視していないと判断された場合には、上記所定の画像情報生成処理動作よりも、負荷の小さい画像情報生成処理動作を実行するか、又は、上記画像情報生成処理動作を停止する第３のステップと、を有する。
【発明の効果】
【００１７】
本発明によれば、車載端末装置において、各種プログラムの実行による演算処理部の負荷の増大を抑制することができると共に、車載端末装置の表示部に必要最低限度の画面情報の表示処理を行うこともできる。
【発明を実施するための最良の形態】
【００１８】
以下、本発明の実施の形態を、図面により詳細に説明する。
【００１９】
図１は、本発明の一実施形態に係る、車載端末システムの全体構成を示す機能ブロック図である。
【００２０】
上記車載端末システムは、図１に示すように、車載端末装置１と、入力機器３と、表示機器５と、車載カメラ７と、車速センサ９と、方位センサ１１と、ＧＰＳ受信機１３とを備える。
【００２１】
車載端末装置１は、入力制御部１５と、出力制御部１７と、視線検知部１９と、位置検知部２１と、記憶部２３と、演算処理部２５とを備え、これら各部がバスライン２７を通じて接続された構成となっている。
【００２２】
入力機器３には、例えば、車載端末装置１に付属しているリモートコントローラ、あるいは車載端末装置１の本体に組み込まれた各種入力キーを備える操作盤が用いられる。入力機器３は、ユーザのキー操作に応じて生成される所定の指令信号を、車載端末装置１に有線／無線伝送する。
【００２３】
表示機器５は、例えば、液晶ディスプレイのような表示部を備える。表示機器５は、出力制御部１７から出力される画像情報を、可視画像の状態で、上記液晶ディスプレイに表示出力する。
【００２４】
車載カメラ７は、例えば、車載端末装置１に駆動電力が供給されている間、駆動状態におかれ、所定の撮影角度に設定された状態で、ユーザ（運転者、及びその背景の画像）を撮影し続ける。車載カメラ７は、上記撮影した画像情報を、視線検知部１９に出力する。
【００２５】
車速センサ９は、例えば、車輪の回転数を検出し、該検出した回転数に見合った電気信号を生成して、位置検知部２１に出力する。
【００２６】
方位センサ１１は、自車両の走行方向が、東西南北いずれの方位であるかを検出して、該検出した情報を、車両の進行方向を示す方位情報として位置検知部２１に出力する。
【００２７】
ＧＰＳ受信機１３は、複数のＧＰＳ（Global Positioning System）衛星から送信される電波を受信し、該受信機を搭載している車両の現在位置を示す情報を生成して、該情報を位置検知部２１に出力する。
【００２８】
入力制御部１５は、演算処理部２５の制御下で、入力機器３から出力される指令信号を受け付け、該指令信号を、バスライン２７を通じて演算処理部２５へ出力する。
【００２９】
出力制御部１７は、演算処理部２５の制御下で、ユーザ（運転者）に報知すべき各種情報を画像情報として生成し、該画像情報を、表示機器５に出力する。
【００３０】
視線検知部１９は、演算処理部２５の制御下で、車載カメラ７から出力される画像情報を読み込み、該画像情報に画像処理を施すことによって、ユーザの頭部位置及び視線方向を検知する。視線検知部１９は、上記検知したユーザの頭部位置及び視線方向に係わる情報を、バスライン２７を通じて演算処理部２５へ出力する。
【００３１】
位置検知部２１は、演算処理部２５の制御下で、車速センサ９から出力される車輪の回転数情報と、方位センサ１１から出力される車両の進行方向を示す方位情報と、ＧＰＳ受信機１３から出力される車両の経度・緯度情報とを入力する。位置検知部２１は、上記入力された各情報に基づいて、車両の現在位置を検知し、該検知結果を、バスライン２７を通じて演算処理部２５へ出力する。
【００３２】
記憶部２３には、ＯＳ（Operating System）３７をはじめ、アプリケーションプログラム実行制御用プログラム（以下、「実行制御用プログラム」と略記する。）３５と、複数のアプリケーションプログラム２９（図１では、図示と説明の都合上、２つだけ記載）と、画面描画ライブラリ３１と、画面描画関数リスト３３とが格納されている。
【００３３】
本実施形態では、アプリケーションプログラム２９には、車載端末装置の基本的な機能であるルート案内機能を実現するためのものや、テレマティクス機能を実現するためのものや、録音されている音楽情報の再生や録画されている映像情報の再生を行うためのものや、デジタルＴＶ放送受信機能に対応するものが含まれる。上記各々のアプリケーションプログラム２９は、演算処理部２５において、実行制御用プログラム３５により、それぞれの処理動作が制御される。
【００３４】
ルート案内機能を実現するためのアプリケーションプログラム２９は、起動することにより、自車両が現在走行しているルートに係わる諸々の案内情報を、可視画像情報、及び／又は、音声情報に生成し、可視画像情報については表示機器５に、音声情報についてはスピーカ（図示しない）に、出力制御部１７を通じてそれぞれ出力する。
【００３５】
テレマティクス機能を実現するためのアプリケーションプログラム２９は、起動することにより、移動体電話等の通信網（通信ネットワーク）を介して取得した各種情報（画像情報、及び／又は、音声情報）を、画像情報については表示機器５に、音声情報についてはスピーカ（図示しない）に、出力制御部１７を通じてそれぞれ出力する。
【００３６】
録音機器（図示しない）に録音されている音楽情報や、録画機器（図示しない）に録画されている映像情報を再生するためのアプリケーションプログラム２９は、起動することにより、音楽情報については上記録音機器（図示しない）から再生し、録画情報については上記録画機器（図示しない）から再生して、音楽情報についてはスピーカ（図示しない）に、映像情報については表示機器５に、出力制御部１７を通じてそれぞれ出力する。
【００３７】
デジタルＴＶ放送受信機能を実現するためのアプリケーションプログラム２９は、起動することにより、図示しない受信アンテナ、デジタルチューナ、及びデジタル復調器等を介して受信したデジタルＴＶ放送波から、映像信号及び音声信号を取り出す。そして、映像信号については表示機器５に、音声信号についてはスピーカ（図示しない）に、出力制御部１７を通じてそれぞれ出力する。上記可視画像情報、画像情報、録画情報、及び映像情報の生成処理は、アプリケーションプログラムの一種である画面描画ライブラリ３１が起動することで実現される。
【００３８】
画面描画ライブラリ３１は、演算処理部２５において、実行制御用プログラム３５の制御下で、上述した各々のアプリケーションプログラム２９の処理動作に含まれる画像情報の生成処理を実行する。画面描画ライブラリ３１は、演算処理部２５において、実行制御用プログラム３５の制御下で、上述した各々のアプリケーションプログラム２９の処理動作に基づき、適宜呼び出され実行される。
【００３９】
画面描画関数リスト３３には、画面描画ライブラリ３１を構成する関数の一覧が記録されている。画面描画関数リスト３３については、図３で更に説明する。
【００４０】
実行制御用プログラム３５は、演算処理部２５において、複数のアプリケーションプログラム２９及び画面描画ライブラリ３１の起動を制御する。実行制御用プログラム３５が実施する処理動作については、図５及び図７において詳細に説明する。
【００４１】
図２は、図１に記載のアプリケーションプログラム２９の一例を示す説明図である。
【００４２】
図２に示すアプリケーションプログラム２９は、main関数（図２では、main(){}で示す）４１と、paint関数（図２では、paint(){}で示す）４３とを含む。
【００４３】
main関数４１とは、該アプリケーションプログラム２９の全体を管理するためのものである。paint関数４３は、いずれも関数（命令）である、drawLine４５と、drawOval４７と、drawImage４９とを含む。
【００４４】
paint関数４３は、drawLine４５を起動することによって得られる処理結果や、drawOval４７を起動することによって得られる処理結果を、drawImage４９を起動することにより、出力制御部１７を通じて表示機器５に表示出力するためのものである。
【００４５】
即ち、drawLine４５は、起動されることによって、線画像を生成する。drawOval４７は、起動されることによって、楕円形画像を生成する。drawImage４９は、上記drawLine４５により生成された線画像情報、及び／又は、drawOval４７により生成された楕円形画像情報を、出力制御部１７を通じて、表示機器５における所定表示領域に表示出力する。
【００４６】
図３は、図１に記載の画面描画関数リスト３３の一例を示す説明図である。
【００４７】
上記画面描画関数リスト３３には、いずれも関数（命令）である、drawArc５１と、drawImage４９と、drawLine４５と、drawOval４７と、drawPolygon５３と、drawRect５５が記載されている。
【００４８】
drawArc５１は、起動されることによって、円弧画像を生成する。drawPolygon５３は、起動されることによって、多角形画像を生成する。drawRect５５は、起動されることによって、長方形画像を生成する。drawImage４９と、drawLine４５と、drawOval４７については、図２において既に説明したので詳細な説明を省略する。
【００４９】
図４は、図１に記載の車載端末システムにおける、ユーザの表示画面注視状況を監視するに際しての、各部の処理動作を示すフローチャートである。
【００５０】
図４において、まず、車載端末システムの駆動電源が投入されることによって、車載カメラ７が起動する。車載カメラ７は、ユーザ（運転者、及びその背景の画像）を撮影し、画像情報を生成する。そして、車載カメラ７は、上記生成した画像情報を、視線検知部１９に出力する（ステップＳ６１）。車載カメラ７から上記画像情報を入力すると、視線検知部１９は、該画像情報に所定の画像処理を施すことによって、ユーザ（運転者）の頭部位置及び視線方向を検知する。
【００５１】
視線検知部１９は、上記検知したユーザ（運転者）の頭部位置及び視線方向に係わる情報を、演算処理部２５に出力する（ステップＳ６２）。視線検知部１９から出力された、上記頭部位置及び視線方向に係わる情報を入力すると、演算処理部２５は、上記頭部位置及び視線方向に係わる情報に基づいて、ユーザ（運転者）が表示機器５の表示画面を注視しているかどうかをチェックする（ステップS６３）。
【００５２】
上記チェックの結果、ユーザは表示機器５を注視していると判断すると（ステップS６３でＹＥＳ）、演算処理部２５は、ユーザが表示機器５の表示画面の注視状態を示す変数を「ｔｒｕｅ」に設定し、ステップＳ６１で示す処理動作に移行する。なお、該設定は、ユーザが上記表示機器５を注視している状態を示す（ステップＳ６４）。
【００５３】
一方、上記チェックの結果、ユーザは表示機器５を注視していないと判断すると（ステップS６３でＮＯ）、演算処理部２５は、ユーザが表示機器５の表示画面の注視状態を示す変数を「ｆａｌｓｅ」に設定し、ステップＳ６１で示す処理動作に移行する。なお、該設定は、ユーザが上記表示機器５を注視していない状態を示す（ステップＳ６５）。
【００５４】
図５は、実行制御用プログラム３５が、アプリケーションプログラム２９の内の、画面描画関数が特定されているものを実行するに際しての処理手順を示すフローチャートである。
【００５５】
図５において、実行制御用プログラム３５は、まず、上記アプリケーションプログラム２９から特定されている、paint関数４３を呼び出すための処理を実行する（ステップＳ７１）。次に、図４で示したステップＳ６３において、演算処理部２５が、ユーザ（運転者）が表示機器５の表示画面を注視していると判断したかどうかをチェックする（ステップＳ７２）。
【００５６】
上記チェックの結果、演算処理部２５が、ユーザ（運転者）が上記表示画面を注視していると判断している場合には（ステップＳ７２でＹＥＳ）、ステップＳ７１で呼び出したpaint関数４３に基づいて、所定の画面描画処理動作を実行する。この画面描画処理動作は、いわゆる高品質な画面情報の描画処理を行うためのものである（ステップＳ７３）。次に、ステップＳ７３で実行した画面描画処理動作の時刻を、例えば、記憶部２３の所定記憶領域に記録し、ステップＳ７１で示した処理動作に復帰する（ステップＳ７４）。
【００５７】
一方、上記チェックの結果、ユーザ（運転者）が上記表示画面を注視していないと判断している場合には（ステップＳ７２でＮＯ）、前回の（直前の）画面描画処理動作から所定の時間が経過したかどうかをチェックする（ステップＳ７５）。
【００５８】
上記チェックの結果、所定の時間が経過していると判断すれば（ステップＳ７５でＹＥＳ）、ステップＳ７１で呼び出したpaint関数４３に基づいて、所定の画面描画処理動作を実行する。この画面描画処理動作は、いわゆる低品質な画面情報の描画処理を行うためのものである。そして、ステップＳ７４に示した処理動作に移行する（ステップＳ７６）。
【００５９】
一方、上記チェックの結果、前回の（直前の）画面描画処理動作から所定の時間が経過していないと判断すれば（ステップＳ７５でＮＯ）、ステップＳ７１で呼び出したpaint関数４３に基づく、所定の画面描画処理動作を省略し、ステップＳ７１で示した処理動作に復帰する（ステップＳ７７）。
【００６０】
以上説明したように、本発明の一実施形態によれば、演算処理部２５による画面注視状態を示す変数の設定に応じて、実行制御用プログラム３５が、上記画面描画処理動作を高品質／低品質で実行する、あるいは、該画面描画処理動作を省略するようにアプリケーションプログラム２９の駆動を制御するようにしたので、各種プログラムの実行による演算処理部の負荷の増大を抑制することができると共に、車載端末装置の表示部に必要最低限度の画面情報の表示処理を行うこともできる。
【００６１】
図６は、本発明の他の実施形態に係る、上述した実行制御用プログラム３５により制御される、アプリケーションプログラム７９の一例を示す説明図である。
【００６２】
図６で示したアプリケーションプログラム７９は、図２において、符号４３で示したようなpaint関数が規定されていないために、画面描画関数が特定されていない。そのため、アプリケーションプログラム７９に規定される描画関数である、drawLine４５、drawOval４７、drawImage４９の、画面描画ライブラリ３１による実行は、それぞれの画面描画関数の個別の指定を必要とする。
【００６３】
図７は、実行制御用プログラム３５が、アプリケーションプログラム７９の内の、画面描画関数が特定されていないものを実行するに際しての処理手順を示すフローチャートである。
【００６４】
図７において、実行制御用プログラム３５は、まず、上記アプリケーションプログラム７９に規定されている、個々の画面描画関数を呼び出すための処理を実行する（ステップＳ８１）。次に、図４で示したステップＳ６３において、演算処理部２５が、ユーザ（運転者）が表示機器５の表示画面を注視していると判断したかどうかをチェックする（ステップＳ８２）。
【００６５】
上記チェックの結果、演算処理部２５が、ユーザ（運転者）が上記表示画面を注視していると判断している場合には（ステップＳ８２でＹＥＳ）、ステップＳ８１で呼び出した個々の画面描画関数に基づいて所定の画面描画処理動作を実行し、ステップＳ８１で示した処理動作に復帰する（ステップＳ８３）。
【００６６】
一方、上記チェックの結果、ユーザ（運転者）が上記表示画面を注視していないと判断している場合には（ステップＳ８２でＮＯ）、現在の状況が、画面描画処理実行期間中かどうかをチェックする（ステップＳ８４）。この、画面描画処理実行期間中か否かの判断は、例えば、アプリケーションプログラム７９の実行開始からの経過時間tを所定値uで割り、その余りの値が、別の所定値vよりも小さいか否かによって判断される。つまり、上記個々の画面描画関数が実行されると共に、上記余りの値が算出され、この時算出された値に基づいて、上記個々の画面描画関数の実行を継続するか否かが判断される。
【００６７】
上記チェックの結果、現在、上記画面描画処理が実行期間中であると判断すれば（ステップＳ８４でＹＥＳ）、ステップＳ８１で呼び出した個々の画面描画関数に基づいて、所定の画面描画処理動作を実行する。この画面描画処理動作は、いわゆる低品質な画面情報の描画処理を行うためのものである。そして、ステップＳ８１で示した処理動作に復帰する（ステップＳ８５）。
【００６８】
一方、上記チェックの結果、現在、上記画面描画処理が実行期間中ではないと判断すれば（ステップＳ８４でＮＯ）、ステップＳ８１で呼び出した個々の画面描画関数に基づく、所定の画面描画処理動作を省略し、ステップＳ８１で示した処理動作に復帰する（ステップＳ８６）。
【００６９】
上述した本発明の他の実施形態においても、本発明の一実施形態におけるものと同様の効果を奏する。
【００７０】
以上、本発明の好適な実施形態を説明したが、これらは本発明の説明のための例示であって、本発明の範囲をこれらの実施形態にのみ限定する趣旨ではない。本発明は、他の種々の形態でも実施することが可能である。
【図面の簡単な説明】
【００７１】
【図１】本発明の一実施形態に係る、車載端末システムの全体構成を示す機能ブロック図。
【図２】図１に記載のアプリケーションプログラム２９の一例を示す説明図。
【図３】図１に記載の画面描画関数リスト３３の一例を示す説明図。
【図４】図１に記載の車載端末システムにおける、ユーザの表示画面注視状況を監視するに際しての、各部の処理動作を示すフローチャート。
【図５】実行制御用プログラム３５が、アプリケーションプログラム２９の内の、画面描画関数が特定されているものを実行するに際しての処理手順を示すフローチャート。
【図６】本発明の他の実施形態に係る、実行制御用プログラム３５により制御される、アプリケーションプログラム７９の一例を示す説明図。
【図７】本発明の他の実施形態に係る、実行制御用プログラム３５が、アプリケーションプログラム７９の内の、画面描画関数が特定されていないものを実行するに際しての処理手順を示すフローチャート。
【符号の説明】
【００７２】
１…車載端末装置、３…入力機器、５…表示機器、７…車載カメラ、９…車速センサ、１１…方位センサ、１３…ＧＰＳ受信機、１５…入力制御部、１７…出力制御部、１９…視線検知部、２１…位置検知部、２３…記憶部、２５…演算処理部、２７…バスライン、２９…アプリケーションプログラム、３１…画面描画ライブラリ、３３…画面描画関数リスト、３５…アプリケーションプログラム実行制御用プログラム、３７…ＯＳ。
【図１】
2009037485.tif 000003
【図２】
2009037485.tif 000004
【図３】
2009037485.tif 000005
【図４】
2009037485.tif 000006
【図５】
2009037485.tif 000007
【図６】
2009037485.tif 000008
【図７】
2009037485.tif 000009